(57)【要約】【課題】構成の簡素化が図られた、中心周波数を調整可能な帯域通過または帯域阻止フィルタ、および、フィルタ回路の中心周波数調整方法を提供する。【解決手段】帯域通過（または帯域阻止）フィルタ回路部１００に、レベルが等しく、周波数が中心周波数の定格値ｆ0から下方と上方とに等しく各所定値αだけ離れた異なる２種類の周波数ｆ1およびｆ2の各入力信号を順次供給し、該順次供給された２種類の入力信号に対応して順次出力される各出力信号のレベルＶ1およびＶ2を比較手段で比較し、この比較結果に応じて、制御信号生成手段１２０において帯域通過（または帯域阻止）フィルタ回路部１００の定数を切換える制御信号を生成し、レベルＶ1およびＶ2の差分値Ｄが零になるように調整する。【選択図】図１
2008098730.tif 000002
【特許請求の範囲】
【請求項１】
自己に供給される制御信号に応じて通過帯域または阻止帯域の周波数を変更可能に構成された帯域通過または帯域阻止フィルタ回路部と、前記帯域通過または帯域阻止フィルタ回路部に入力される所定レベルの入力信号であって中心周波数の定格値よりも所定の値だけ低い第一の周波数の入力信号に対応して出力される第一の出力信号のレベルと前記帯域通過または帯域阻止フィルタ回路部に入力される前記所定レベルの入力信号であって前記中心周波数の定格値よりも当該所定の値だけ高い第二の周波数の入力信号に対応して出力される第二の出力信号のレベルとの当該両レベルを比較する比較手段と、前記比較手段による比較結果に応じて前記制御信号を生成する制御信号生成手段と、を備えていることを特徴とする調整可能なフィルタ回路。
【請求項２】
前記帯域通過または帯域阻止フィルタ回路部は、前記制御信号に応じて所定の受動素子の定数が切換えられるように構成されたアクティブフィルタであることを特徴とする請求項１に記載の調整可能なフィルタ回路。
【請求項３】
前記比較手段は、前記第一の出力信号のレベルと前記第二の出力信号のレベルとを各検出するレベル検出部と、前記レベル検出部で検出された当該両出力信号のレベルを各保持するデータ保持部と、前記データ保持部に保持された当該両出力信号のレベルを比較して該比較の結果としてのレベル差を算出する比較演算部とを含んで構成されていることを特徴とする請求項１に記載の調整可能なフィルタ回路。
【請求項４】
自己に供給される制御信号に応じて通過帯域または阻止帯域の周波数を変更可能に構成された帯域通過または帯域阻止フィルタ回路に関する中心周波数調整方法であって、前記帯域通過または帯域阻止フィルタ回路にその中心周波数の定格値よりも所定の値だけ低い第一の周波数の入力信号を供給して該第一の周波数の入力信号に対応する第一の出力信号のレベルを検出する第一のレベル検出処理と、前記帯域通過または帯域阻止フィルタ回路にその中心周波数の定格値よりも所定の値だけ高い第二の周波数の入力信号を供給して該第二の周波数の入力信号に対応する第二の出力信号のレベルを検出する第二のレベル検出処理と、前記第一のレベル検出処理で得た第一の出力信号のレベルと前記第二のレベル検出処理で得た第二の出力信号のレベルとの比較を行って当該両レベルの差分値を得る比較処理と、前記比較処理で得た当該差分値に基づいて前記制御信号を生成して当該帯域通過または帯域阻止フィルタ回路に供給する制御信号生成処理とを行なうことを特徴とするフィルタ回路の中心周波数調整方法。
【請求項５】
前記比較処理は、前記第一のレベル検出処理で得た第一の出力信号のレベルと前記第二のレベル検出処理で得た第二の出力信号のレベルとを一旦保持する処理を含むことを特徴とする請求項４に記載のフィルタ回路の中心周波数調整方法。
【請求項６】
前記比較処理で得た当該差分値が零でないときには、前記第一のレベル検出処理、前記第二のレベル検出処理、前記比較処理、および、前記制御信号生成処理を繰り返し実行することを特徴とする請求項４に記載のフィルタ回路の中心周波数調整方法。
【発明の詳細な説明】
【技術分野】
【０００１】
本発明は、例えば、アクティブフィルタを構成する素子のうちの受動素子の定数を切換える制御を行なって当該フィルタの通過（または阻止）帯域の周波数を変更するようにした調整可能なフィルタ回路及びフィルタ回路の中心周波数調整方法に関し、特に、簡易な構成の調整可能なフィルタ回路及びフィルタ回路の中心周波数調整方法に関する。
【背景技術】
【０００２】
一般に、集積回路の回路素子の品質のばらつきに起因する特性値の変動を避けることができない。このため、集積回路内に内蔵されるフィルタ回路などにおいては、カットオフ周波数の調整（帯域フィルタの場合では中心周波数の調整）を行なう回路が必要である。
このようなカットオフ周波数の調整を簡単に行うことができるローパスフィルタ回路及びハイパスフィルタ回路に関する提案が既に幾つかなされている。一つの提案では、選択可能な複数のインピーダンス素子のうち選択されたインピーダンス素子に依存するカットオフ周波数を呈するようにフィルタ回路を構成し、パルス発生回路から周波数が連続的に増加または減少する可変周波数パルスを該フィルタ回路の入力に供給し、入力周波数の増加または減少に対応する該フィルタ回路の出力パルスの減衰量の様子を監視し、基準値以下に減衰するパルスの位置（繰り返し周波数）に基づいて適合する定数のインピーダンス素子を選択するといった技術が呈示されている（特許文献１参照）。
【０００３】
また、他の提案では、ＰＬＬ（Ｐｈａｓｅ Ｌｏｃｋｅｄ Ｌｏｏｐ）回路内で生成される制御電圧をローパスフィルタに供給することによって、ローパスフィルタを構成するトランジスタのゲート電圧を制御して、カットオフ周波数を制御するといった技術が呈示されている（特許文献２参照）。
【特許文献１】特開２００６−７４４３５号公報（段落０００３〜段落０００７、段落００２３〜段落００３０、図４）
【特許文献２】特開２００２−２７１１７３号公報（段落０００２〜段落０００５、段落００１６〜段落００２６、図４）
【発明の開示】
【発明が解決しようとする課題】
【０００４】
しかしながら、上述の特許文献１に提案の技術では、フィルタへの入力周波数の増加または減少時にその周波数の値を逐一厳密に検出して、当該周波数に対応するフィルタ回路の出力パルスの減衰量の値を正確に把握しなくてはならず、現実にこの技術を適用してフィルタの特性を調整するには高精度の検出技術が要求される。
また、特許文献２に提案の技術では、フィルタ回路自体の構成も、特性の調整に関する構成も複雑なものとなる。
本発明は叙上のような状況に鑑みてなされたものであり、一層の簡素化が図られた調整可能なフィルタ回路及びフィルタ回路の中心周波数調整方法を提供することを目的としている。
【課題を解決するための手段】
【０００５】
上記課題を解決するべく、本願では次に列記するような技術を提案する。
（１）自己に供給される制御信号に応じて通過帯域または阻止帯域の周波数を変更可能に構成された帯域通過または帯域阻止フィルタ回路部と、前記帯域通過または帯域阻止フィルタ回路部に入力される所定レベルの入力信号であって中心周波数の定格値よりも所定の値だけ低い第一の周波数の入力信号に対応して出力される第一の出力信号のレベルと前記帯域通過または帯域阻止フィルタ回路部に入力される前記所定レベルの入力信号であって前記中心周波数の定格値よりも当該所定の値だけ高い第二の周波数の入力信号に対応して出力される第二の出力信号のレベルとの当該両レベルを比較する比較手段と、前記比較手段による比較結果に応じて前記制御信号を生成する制御信号生成手段と、を備えていることを特徴とする調整可能なフィルタ回路。
【０００６】
上記（１）のフィルタ回路では、その帯域通過（または帯域阻止）フィルタ回路部に供給される制御信号に応じて例えば回路要素としての抵抗やコンデンサ等の定数が切換えられてフィルタとしての通過（または阻止）帯域の周波数が変更可能であり、この帯域通過（または帯域阻止）フィルタ回路部に、レベルが等しく、周波数が中心周波数の定格値から下方と上方とに等しく各所定値だけ離れた異なる２種類の入力信号を順次供給し、該順次供給された２種類の入力信号に対応して順次出力される各出力信号のレベルを比較手段で比較し、この比較結果に応じて、制御信号生成手段において上記の定数を切換えるための制御信号が生成される。簡易な構成の調整可能なフィルタ回路が実現される。
【０００７】
（２）前記帯域通過または帯域阻止フィルタ回路部は、前記制御信号に応じて所定の受動素子の定数が切換えられるように構成されたアクティブフィルタであることを特徴とする（１）の調整可能なフィルタ回路。
上記（２）の調整可能なフィルタ回路では、（１）の調整可能なフィルタ回路において特に、帯域通過（または帯域阻止）フィルタ回路部がアクティブフィルタとして構成され、自己に供給される制御信号に応じて所定の受動素子の定数が切換えられることによって通過（または阻止）帯域の周波数が変更される。設計や調整が容易であるというアクティブフィルタの利点が生かされると共に回路の構成も簡素になる。
【０００８】
（３）前記比較手段は、前記第一の出力信号のレベルと前記第二の出力信号のレベルとを各検出するレベル検出部と、前記レベル検出部で検出された当該両出力信号のレベルを各保持するデータ保持部と、前記データ保持部に保持された当該両出力信号のレベルを比較して該比較の結果としてのレベル差を算出する比較演算部とを含んで構成されていることを特徴とする（１）の調整可能なフィルタ回路。
上記（３）の調整可能なフィルタ回路では、（１）の調整可能なフィルタ回路において特に、レベル検出部で検出された第一の出力信号のレベルと第二の出力信号のレベルとをデータ保持部で保持し、該保持された当該両出力信号のレベル差を比較演算部で算出する。
【０００９】
（４）自己に供給される制御信号に応じて通過帯域または阻止帯域の周波数を変更可能に構成された帯域通過または帯域阻止フィルタ回路に関する中心周波数調整方法であって、前記帯域通過または帯域阻止フィルタ回路にその中心周波数の定格値よりも所定の値だけ低い第一の周波数の入力信号を供給して該第一の周波数の入力信号に対応する第一の出力信号のレベルを検出する第一のレベル検出処理と、前記帯域通過または帯域阻止フィルタ回路にその中心周波数の定格値よりも所定の値だけ高い第二の周波数の入力信号を供給して該第二の周波数の入力信号に対応する第二の出力信号のレベルを検出する第二のレベル検出処理と、前記第一のレベル検出処理で得た第一の出力信号のレベルと前記第二のレベル検出処理で得た第二の出力信号のレベルとの比較を行って当該両レベルの差分値を得る比較処理と、前記比較処理で得た当該差分値に基づいて前記制御信号を生成して当該帯域通過または帯域阻止フィルタ回路に供給する制御信号生成処理とを行なうことを特徴とするフィルタ回路の中心周波数調整方法。
【００１０】
上記（４）のフィルタ回路の中心周波数調整方法では、第一のレベル検出処理において帯域通過（または帯域阻止）フィルタ回路にその中心周波数の定格値よりも所定の値だけ低い第一の周波数の入力信号を供給して該第一の周波数の入力信号に対応する第一の出力信号のレベルを検出し、第二のレベル検出処理において帯域通過（または帯域阻止）フィルタ回路にその中心周波数の定格値よりも所定の値だけ高い第二の周波数の入力信号を供給して該第二の周波数の入力信号に対応する第二の出力信号のレベルを検出し、比較処理において、第一のレベル検出処理で得た第一の出力信号のレベルと前記第二のレベル検出処理で得た第二の出力信号のレベルとの比較を行って当該両レベルの差分値を得、制御信号生成処理において、比較処理で得た当該差分値に基づいて前記制御信号を生成して当該帯域通過（または帯域阻止）フィルタ回路に供給する。簡易な方法によってフィルタ回路の中心周波数が調整される。
【００１１】
（５）前記比較処理は、前記第一のレベル検出処理で得た第一の出力信号のレベルと前記第二のレベル検出処理で得た第二の出力信号のレベルとを一旦保持する処理を含むことを特徴とする（４）のフィルタ回路の中心周波数調整方法。
上記（５）のフィルタ回路の中心周波数調整方法では、（４）のフィルタ回路の中心周波数調整方法において特に、第一のレベル検出処理で得た第一の出力信号のレベルと前記第二のレベル検出処理で得た第二の出力信号のレベルとを一旦保持するため、第一および第二の両レベルの比較処理が容易である。
【００１２】
（６）前記比較処理で得た当該差分値が零でないときには、前記第一のレベル検出処理、前記第二のレベル検出処理、前記比較処理、および、前記制御信号生成処理を繰り返し実行することを特徴とする（４）のフィルタ回路の中心周波数調整方法。
上記（６）のフィルタ回路の中心周波数調整方法では、（４）のフィルタ回路の中心周波数調整方法において特に、比較処理で得た当該差分値が零でないときには、第一のレベル検出処理、第二のレベル検出処理、比較処理、および、制御信号生成処理を繰り返し実行するため、当該差分値が零に収束され、フィルタ回路の中心周波数が適切な値に調整される。
【発明を実施するための最良の形態】
【００１３】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の実施の形態としての調整可能なフィルタ回路の構成を表すブロック図である。
【００１４】
図１において、帯域通過フィルタ回路部１００は、自己に供給される制御信号に応じて例えば可変素子１０１である回路要素としての抵抗やコンデンサ等の定数が切換えられて通過帯域の周波数が変更可能に構成されている。この帯域通過フィルタ回路部１００の出力側には一点鎖線で図示の比較手段１１０が接続されている。
比較手段１１０は、帯域通過フィルタ回路部１００への入力として、レベルが等しく、周波数が中心周波数の定格値から下方と上方とに等しく各所定値だけ離れた異なる２種類の入力信号を順次供給したときに、該順次供給された２種類の入力信号に対応して順次出力される各出力信号のレベルを比較し、その比較を出力するように次のように構成されている。
【００１５】
即ち、比較手段１１０は、帯域通過フィルタ回路部１００への所定レベルの入力信号であって中心周波数の定格値よりも所定の値だけ低い第一の周波数の入力信号に対応して出力される第一の出力信号のレベルと、該入力信号と同レベルであって中心周波数の定格値よりも所定の値だけ高い第二の周波数の入力信号に対応して出力される第二の出力信号のレベルとを各検出するレベル検出部１１１と、レベル検出部１１１で検出された当該両出力信号のレベルを各保持するデータ保持部１１２と、データ保持部１１２に保持された当該両出力信号のレベルを比較して該比較の結果としてのレベル差を算出する比較演算部１１３とを含んで構成されている。
比較手段１１０の後段には、比較手段１１０による比較結果に応じて制御信号を生成する制御信号生成手段１２０が接続されている。比較手段１１０で生成された制御信号が帯域通過フィルタ回路部１００へ供給され、上述のように通過帯域の周波数が変更可能に構成されている。
【００１６】
図２は図１の帯域通過フィルタ回路部１００において環境温度の変化或いは回路素子の品質のばらつきなどに起因して通過帯域の周波数が定格値（設計値）からずれる様子を説明する図である。
図２において、実線図示の特性が、帯域通過フィルタ回路部１００における定格通りの通過帯域の特性であり、この特性が、環境温度の変化或いは回路素子の品質のばらつきなどに起因して、破線図示のように、高域側（右側）或いは低域側（左側）にずれる。
【００１７】
図３は、帯域通過フィルタ回路部１００が定格通りの帯域通過特性を示す場合を表す特性図である。
図３の場合においては、帯域通過フィルタ回路部１００の通過帯域の中心周波数ｆ0（その定格値。以下同様。）よりも所定の値αだけ低い第一の周波数ｆ1の入力信号に対応して出力される第一の出力信号のレベルＶ1と、中心周波数ｆ0よりも当該所定の値αだけ高い第二の周波数ｆ2の入力信号に対応して出力される第二の出力信号のレベルＶ2との当該両レベルＶ1、Ｖ2は実質的に差がない。
【００１８】
上述において、入力信号はその周波数によらずレベルが一定であるように条件を設定したものと仮定している。
図３を参照して説明した現象は、言い換えると、中心周波数ｆ0よりも値αだけ低い第一の周波数ｆ1に対応して出力される第一の出力信号のレベルＶ1と、中心周波数ｆ0よりも当該所定の値αだけ高い第二の周波数ｆ2の入力信号に対応して出力される第二の出力信号のレベルＶ2との当該両レベルＶ1、Ｖ2が等しいときには、帯域通過フィルタ回路部１００の通過帯域の中心周波数は、定格値（設計値）ｆ0に合致するということである。
【００１９】
図４は、環境温度の変化などに起因して、帯域通過フィルタ回路部１００の帯域通過特性が定格通りの値からずれた場合を表す特性図である。
図４の場合においては、帯域通過フィルタ回路部１００の現実の帯域通過特性における中心周波数が上述の中心周波数ｆ0（定格値）からずれているため、既述の第一の周波数ｆ1の入力信号に対応して出力される第一の出力信号のレベルＶ1と、既述の第二の周波数ｆ2の入力信号に対応して出力される第二の出力信号のレベルＶ2との当該両レベルＶ1、Ｖ2間には図示のようなレベル差Ｄが生じる。
【００２０】
以上、図３および図４を参照して説明したところから明らかなとおり、上述のレベル差Ｄが零になるように帯域通過フィルタ回路部１００を構成する回路要素の定数を調整すれば、帯域通過フィルタ回路部１００の通過帯域の中心周波数は定格値（設計値）ｆ0に合致する。
即ち、図４において、Ｖ1＞Ｖ2のときには、中心周波数はｆ0よりも低域側にずれているので中心周波数が高くなるように調整し、Ｖ1＜Ｖ2のときには、中心周波数はｆ0よりも高域側にずれているので中心周波数が低くなるように調整することによって、設計値に合わせ込むことが可能になる。
通過帯域の中心周波数がｆ0に合致するということは、即ち、帯域通過フィルタ回路部１００のカットオフ周波数が適切な値に調整されるということに略相応する。
【００２１】
図５は、図１の帯域通過フィルタ回路部１００として適用されるバイカッド型ＢＰＦの構成を表す回路図である。オペアンプＯＰ１の反転入力端および非反転入力端にはそれぞれ入力抵抗Ｒ11および入力抵抗Ｒ12が設けられ、また、非反転出力端と反転入力端とは抵抗Ｒ13およびコンデンサＣ11の並列接続による帰還回路で結ばれ、同様に、反転出力端と非反転入力端とは抵抗Ｒ14およびコンデンサＣ12の並列接続による帰還回路で結ばれている。
【００２２】
オペアンプＯＰ１の後段に、図示のように抵抗Ｒ31および抵抗Ｒ32を介してオペアンプＯＰ２が縦続接続されている。オペアンプＯＰ２の非反転出力端と反転入力端とはコンデンサＣ21による帰還回路で結ばれ、同様に、反転出力端と非反転入力端とはコンデンサＣ22による帰還回路で結ばれている。
一方、オペアンプＯＰ２の反転出力端とオペアンプＯＰ１の反転入力端とは抵抗Ｒ41による帰還回路で結ばれ、同様に、オペアンプＯＰ２の非反転出力端とオペアンプＯＰ１の非反転入力端とは抵抗Ｒ42による帰還回路で結ばれて、オペアンプＯＰ１およびオペアンプＯＰ２には差動入力差動出力の完全差動型オペアンプが適用されている。
【００２３】
図５の回路におけるフィルタとしての特性は次のようなものとなる。
即ち、Ｒ41＝Ｒ42＝Ｒ、Ｃ11＝Ｃ12＝Ｃ21＝Ｃ22＝Ｃとすると：
中心周波数ｆ0＝１／２πＲＣ
従って、中心周波数のずれは、抵抗Ｒ41，Ｒ42の値、または、コンデンサＣ11，Ｃ12，Ｃ21，Ｃ22の値を調節することによって補正することができる。
【００２４】
図６は、抵抗値Ｒを可変にするにために複数種類の抵抗Ｒ1〜Ｒ4をスイッチ回路で切換えて選択的に適用するような構成を表す回路図である。
図７は、容量値Ｃを可変にするにために複数種類の容量のコンデンサＣ1〜Ｃ4をスイッチ回路で切換えて選択的に適用するような容量素子の構成を表す回路図である。
抵抗値Ｒや容量値Ｃを可変にするための構成は、図６および図７に示されたようにスイッチ回路で切換えて適宜の定数のものを選択して適用するといったものが簡単であるが、これらの他、自己に印加された制御電圧に応じて定数が変化する電圧可変素子を適用したり、或いはまた、図６および図７のようなスイッチによって選択的に定数を切換える回路と電圧可変素子とを併用するような適宜の構成を採ることができる。
【００２５】
以上図５ないし図７を参照して説明したフィルタ回路は、帯域通過フィルタ回路部がアクティブフィルタ（バイカッド型ＢＰＦ）として構成され、自己に供給される制御信号に応じて所定の受動素子の定数が切換えられることによって通過（または阻止）帯域の周波数が変更される。設計や調整が容易であるというアクティブフィルタの利点が生かされると共に回路の構成も簡素になる。
【００２６】
図８は、図１の調整可能なフィルタ回路における中心周波数調整方法を表すフローチャートである。先ず、データ保持部に保持されたデータを一旦リセットする（ステップＳ８０１）。次いで、図３、図４を参照して説明した中心周波数ｆ0（その定格値。以下同様。）よりも所定の値αだけ高い第二の周波数の入力信号ｆ2に対応して出力される第二の出力信号のレベルＶ2が既に測定済であるか否かを判断し（ステップＳ８０２）、レベルＶ2が既に測定済であると判断されたときには（ステップＳ８０２：Ｙｅｓ）、中心周波数ｆ0よりも当該所定の値αだけ低い第一の周波数ｆ1の入力信号を帯域通過フィルタ回路部１００の入力端に供給する（ステップＳ８０３）。
【００２７】
ステップＳ８０３で、帯域通過フィルタ回路部１００の入力端に中心周波数ｆ0よりも当該所定の値αだけ低い第一の周波数ｆ1の入力信号を供給したことに対応して帯域通過フィルタ回路部１００の出力端から出力される出力信号のレベルＶ1を測定し（ステップＳ８０４…第一のレベル検出処理）、この測定値をデータ保持部１１２で保持する（ステップＳ８０５）。
【００２８】
一方、ステップＳ８０２で、レベルＶ2は未だ測定されていないと判断されたときには（ステップＳ８０２：Ｎｏ）、中心周波数ｆ0よりも当該所定の値αだけ高い第二の周波数ｆ2の入力信号を帯域通過フィルタ回路部１００の入力端に供給する（ステップＳ８０６）。
ステップＳ８０６で、帯域通過フィルタ回路部１００の入力端に中心周波数ｆ0よりも当該所定の値αだけ高い第二の周波数ｆ2の入力信号を供給したことに対応して帯域通過フィルタ回路部１００の出力端から出力される出力信号のレベルＶ2を測定し（ステップＳ８０７…第二のレベル検出処理）、この測定値をデータ保持部１１２で保持する（ステップＳ８０５）。
【００２９】
尚、以上において、帯域通過フィルタ回路部１００の入力端に供給する周波数ｆ1の入力信号も周波数ｆ2の入力信号もそのレベルは等しい。
ステップＳ８０５でデータの保持を行うと、次いで、周波数ｆ1の入力信号に対応する出力信号のレベルＶ1の測定データおよび周波数ｆ2の入力信号に対応する出力信号のレベルＶ2の測定データの双方のデータが揃っているか否かを判断し（ステップＳ８０８）、
揃っていると判断されたときには（ステップＳ８０８：Ｙｅｓ）、当該揃って保持された双方のデータに基づいて、レベルＶ1とレベルＶ2とのレベル差Ｄを算出する（ステップＳ８０９…比較処理）。
【００３０】
ステップＳ８０９で算出されたレベル差Ｄについて、Ｄ＝０であるか否かを判断し（ステップＳ８１０）、Ｄ＝０であると判断されたときには（ステップＳ８１０：Ｙｅｓ）、調整処理を終了する。
一方、ステップＳ８０９で算出されたレベル差Ｄについて、Ｄ＝０ではないと判断されたときには（ステップＳ８１０：Ｎｏ）、レベルＶ1＞レベルＶ2なる関係にあるか否かを判断する（ステップＳ８１１）。
【００３１】
ステップＳ８１１で、レベルＶ1＞レベルＶ2であると判断されたときには（ステップＳ８１１：Ｙｅｓ）、可変素子１０１（図１）の定数を通過帯域の中心周波数が低域側にシフトするように調整するための制御信号を制御信号生成手段１２０（図１）で生成し（制御信号生成処理）、該生成した制御信号を可変素子１０１に供給して当該調整を実行する（ステップＳ８１２）。
【００３２】
また、ステップＳＳ８１１で、レベルＶ1＜レベルＶ2であると判断されたときには（ステップＳ８１１：Ｎｏ）、可変素子１０１（図１）の定数を通過帯域の中心周波数が高域側にシフトするように調整するための制御信号を制御信号生成手段１２０（図１）で生成し（制御信号生成処理）、該生成した制御信号を可変素子１０１に供給して当該調整を実行する（ステップＳ８１３）。
【００３３】
ステップＳ８１２およびステップＳ８１３を一旦実行した後はステップＳ８０１に戻る。
従って、ステップＳ８１０で当該レベルＶ1とレベルＶ2との差分値Ｄが０にならないうちは、上述の第一のレベル検出処理（ステップＳ８０４）、第二のレベル検出処理（ステップＳ８０７）、比較処理（ステップＳ８０９）、および、制御信号生成処理（ステップＳ８１２，ステップＳ８１３）が繰り返し実行され、当該差分値Ｄが０に収束され、フィルタ回路の通過帯域の中心周波数波がその定格値ｆ0となるように適切に調整される。
【００３４】
以上は、フィルタ回路部が帯域通過フィルタ回路である場合の実施例について詳述したが、本発明は、フィルタ回路部が帯域阻止フィルタ回路である場合にも同様に適用可能な技術思想であることについては論を俟たないところである。
【図面の簡単な説明】
【００３５】
【図１】本発明の実施の形態としての調整可能なフィルタ回路の構成を表すブロック図である。
【図２】図１の帯域通過フィルタ回路部の通過帯域の周波数が定格値（設計値）からずれる様子を説明する図である。
【図３】図１の帯域通過フィルタ回路部が定格通りの帯域通過特性を示す場合を表す特性図である。
【図４】図１の帯域通過フィルタ回路部の帯域通過特性が定格通りの値からずれた場合を表す特性図である。
【図５】図１の帯域通過フィルタ回路部の回路構成を表す図である。
【図６】抵抗値を可変にした抵抗素子の構成を表す回路図である。
【図７】容量値を可変にした容量素子の構成を表す回路図である。
【図８】図１の調整可能なフィルタ回路における中心周波数調整方法を表すフローチャートである。
【符号の説明】
【００３６】
１００…帯域通過フィルタ回路部  １０１…可変素子  １１０…比較手段  １１１…レベル検出部  １１２…データ保持部  １１３…比較演算部  １２０…制御信号生成手段
【図１】
2008098730.tif 000003
【図２】
2008098730.tif 000004
【図３】
2008098730.tif 000005
【図４】
2008098730.tif 000006
【図５】
2008098730.tif 000007
【図６】
2008098730.tif 000008
【図７】
2008098730.tif 000009
【図８】
2008098730.tif 000010